(57)【要約】【課題】簡易かつ低コストにケーブルをプリント基板に固定可能な、ケーブル固定構造および液晶テレビジョンを提供する。【解決手段】プリント基板６０に、同プリント基板６０上に穴として形成されるくりぬき部６８ａと、くりぬき部６８ａより所定距離に片方の端が実装されるジャンパ線６８ｃとを備えさせ、ジャンパ線６８ｃがくりぬき部６８ａに向かって折り曲げられて穴の縁に係止されることにより、ケーブル６６をプリント基板６０との間に挟持する。【選択図】図５
2007194384.tif 000002
【特許請求の範囲】
【請求項１】
映像を画面に表示する２０型の液晶パネルと、
凹み部分を上方に配向させて上記液晶パネルの背面に配置され、テレビ放送を受信して映像を上記液晶パネルに表示させる凹字型のメイン基板と
上記メイン基板の左下に実装されるシールドされたチューナと、
上記メイン基板の上記チューナの下に並べて実装される発熱性のオーディオアンプと、
上記メイン基板の実装面の右下に同メイン基板の下側面に沿って、上記チューナおよび上記オーディオアンプとの間に所定距離を置いて実装される一次電源回路と、
上記メイン基板の凹み部分に配置されて、マイコンが実装されるマイコン基板と、
上記メイン基板の下方に配置されて、ユーザからの操作入力を受け付けるスイッチ基板と、
上記液晶パネルの背面の一方の短辺に沿って上下方向に配向して配置された縦長のインバータ基板と、
上記チューナおよび上記オーディオアンプと上記一次電源回路との間を通り、上記マイコン基板と上記スイッチ基板とを接続するケーブルと
を備える液晶テレビジョンにおいて、
上記メイン基板上に穴として形成されるくりぬき部と、
上記くりぬき部より所定距離に片方の端が実装される二本のジャンパ線と、
上記メイン基板の基材上に基板形成され、実装時に上記ジャンパ線が取り付けられ、実装後に上記メイン基板の本体から切断されることにより同メイン基板の本体と分離される小片と、
上記ジャンパ線が実装される側の上記くりぬき部の縁に形成される切り欠きと
上記ジャンパ線が実装される側の上記小片に形成されて上記切り欠きと係合する突起と、
を備え、
上記小片を上記ジャンパ線ごと上記メイン基板の実装面側に持ち上げ、
上記ジャンパ線と上記メイン基板との間に上記ケーブルを挟みこみ、
上記小片を上記くりぬき部から上記メイン基板の非実装面側に押し込み
上記小片が上記メイン基板に対して略垂直となるよう上記ジャンパ線を上記ケーブルに沿って屈曲させ、
上記突起と上記切り欠きとを略垂直に係合させることにより上記小片をくりぬき部の穴の縁に係止することにより、
上記ケーブルが上記チューナと上記オーディオアンプと上記一次電源回路とを避けるように配設される
ことを特徴とする液晶テレビジョン。
【請求項２】
基板面上をケーブルが横切るプリント基板に、同ケーブルを固定するケーブル固定構造において、
上記プリント基板上に穴として形成されるくりぬき部と、
上記くりぬき部より所定距離に片方の端が実装されるジャンパ線と
を備え、
上記ジャンパ線は、
上記くりぬき部に向かって折り曲げられて上記穴の縁に係止されることにより、上記ケーブルを基板面との間に挟持する
ことを特徴とするケーブル固定構造。
【請求項３】
上記ジャンパ線は、二本使用されることを特徴とする上記請求項２に記載のケーブル固定構造。
【請求項４】
上記ジャンパ線は、
基板上に実装されない側の端部に上記穴を通過可能な小片が取り付けられ、
上記小片は、
上記くりぬき穴の縁に係止される
ことを特徴とする上記請求項２または請求項３に記載のケーブル固定構造。
【請求項５】
上記くりぬき穴は、
上記ジャンパ線が実装される側の縁部に切り欠きを備え、
上記小片は、
上記切り欠きと係合する突起を備える
ことを特徴とする上記請求項２〜請求項４のいずれかに記載のケーブル固定構造。
【請求項６】
上記小片は、
上記プリント基板の基材上に基板形成され、
実装時に上記ジャンパ線が取り付けられ、
実装後に上記プリント基板の本体から切断されることにより同プリント基板の本体と分離される
ことを特徴とする上記請求項２〜請求項５のいずれかに記載のケーブル固定構造。
【請求項７】
映像を画面に表示する液晶パネルと、
上記液晶パネルの背面に配置されて、テレビ放送を受信して映像を上記液晶パネルに表示させるメイン基板と、
上記メイン基板に実装される発熱部材と、
上記メイン基板に実装される一次電源回路と、
上記メイン基板の上方に配置されて、上記メイン基板に具現されない処理を担当する第一の補助基板と、
上記メイン基板の下方に配置されて、上記メイン基板に具現されない処理を担当する第二の補助基板と
を備え、
上記ケーブルは、上記ジャンパ線にて上記メイン基板上に固定されることにより、上記一次電源回路と上記発熱部材とに接触せず、上記第一の補助基板と上記第二の補助基板とを接続することを特徴とする上記請求項２〜請求項６のいずれかに記載のケーブル固定構造。
【発明の詳細な説明】
【技術分野】
【０００１】
本発明は、液晶テレビジョンおよびケーブル固定構造に関する。
【背景技術】
【０００２】
従来、基板上を横切るケーブルが基板の特定の部位に接触しないようにするには、結束バンドなどで基板に固定する方法が知られている。また、ケーブルが複数ある場合は、結束バンドにてケーブル同士を結束することもあった。
【０００３】
また、基板を上下に横切って接続したい場合などは、基板の上端と下端とにソケットを設置して、上端のソケットと下端のソケットとをパターンにて接続することがある。この場合、上から延びてくるケーブルを上端のソケットに接続させるとともに下から延びてくるソケットは下端のソケットに接続させるため、ケーブルが基板を横切らない。
【０００４】
特許文献１には、ジャンパ線にて接続された配線基板において、基板折り取り部の一方の基板に凸部を設け、他方の基板に上記凸部を挿入する穴を設け、それぞれの基板を、組付ける時基板の穴にもう一方の基板の凸部を挿入して組み立てられることを特徴とする配線基板の接続方法について開示されている。
【特許文献１】特開昭６２−１３９３９０号公報
【発明の開示】
【発明が解決しようとする課題】
【０００５】
上述した従来技術においては、追加の部材（結束バンドやソケット）を必要としたり、パターンを追加したりする必要があった。また、結束バンドをケーブルに巻きつけたり、結束バンドを基板上の穴などに通したりする手順を踏む必要があり、煩雑である上に、作業ミスを招く危険性があるという課題があった。
【０００６】
本発明は、上記課題にかんがみてなされたもので、追加の部材を必要とせず、煩雑な手間を必要としない簡易な方法でケーブルを固定することが出来、かつ、作業ミスを減少させることが可能なケーブル固定構造および液晶テレビジョンの提供を目的とする。
【課題を解決するための手段】
【０００７】
上記課題を解決するために、本発明の請求項１にかかる発明では、映像を画面に表示する２０型の液晶パネルと、凹み部分を上方に配向させて上記液晶パネルの背面に配置され、テレビ放送を受信して映像を上記液晶パネルに表示させる凹字型のメイン基板と上記メイン基板の左下に実装されるシールドされたチューナと、上記メイン基板の上記チューナの下に並べて実装される発熱性のオーディオアンプと、上記メイン基板の実装面の右下に同メイン基板の下側面に沿って、上記チューナおよび上記オーディオアンプとの間に所定距離を置いて実装される一次電源回路と、上記メイン基板の凹み部分に配置されて、マイコンが実装されるマイコン基板と、上記メイン基板の下方に配置されて、ユーザからの操作入力を受け付けるスイッチ基板と、上記液晶パネルの背面の一方の短辺に沿って上下方向に配向して配置された縦長のインバータ基板と、上記チューナおよび上記オーディオアンプと上記一次電源回路との間を通り、上記マイコン基板と上記スイッチ基板とを接続するケーブルとを備える液晶テレビジョンにおいて、上記メイン基板上に穴として形成されるくりぬき部と、上記くりぬき部より所定距離に片方の端が実装される二本のジャンパ線と、上記メイン基板の基材上に基板形成され、実装時に上記ジャンパ線が取り付けられ、実装後に上記メイン基板の本体から切断されることにより同メイン基板の本体と分離される小片と、上記ジャンパ線が実装される側の上記くりぬき部の縁に形成される切り欠きと上記ジャンパ線が実装される側の上記小片に形成されて上記切り欠きと係合する突起と、を備え、上記小片を上記ジャンパ線ごと上記メイン基板の実装面側に持ち上げ、上記ジャンパ線と上記メイン基板との間に上記ケーブルを挟みこみ、上記小片を上記くりぬき部から上記メイン基板の非実装面側に押し込み上記小片が上記メイン基板に対して略垂直となるよう上記ジャンパ線を上記ケーブルに沿って屈曲させ、上記突起と上記切り欠きとを略垂直に係合させることにより上記小片をくりぬき部の穴の縁に係止することにより、上記ケーブルが上記チューナと上記オーディオアンプと上記一次電源回路とを避けるように配設される構成としてある。
【０００８】
また、上記目的を達成するために、請求項２に記載のケーブル固定構造では、基板面上をケーブルが横切るプリント基板に、同ケーブルを固定するケーブル固定構造において、上記プリント基板上に穴として形成されるくりぬき部と、上記くりぬき部より所定距離に片方の端が実装されるジャンパ線とを備え、上記ジャンパ線は、上記くりぬき部に向かって折り曲げられて上記穴の縁に係止されることにより、上記ケーブルを基板面との間に挟持する構成としてある。
上記くりぬき穴としては、上記プリント基板の面に形成される穴であれば、いかなる形状のものであってもよく、円形のものや多角形のものなど様々な形状のものが採用可能である。
【０００９】
そして、請求項３にかかる発明では、上記請求項２に記載のケーブル固定構造において、上記ジャンパ線は、二本使用される構成としてある。
【００１０】
さらに、請求項４にかかる発明では、上記請求項２または請求項３に記載のケーブル固定構造において、上記ジャンパ線は、基板上に実装されない側の端部に上記穴を通過可能な小片が取り付けられ、上記小片は、上記くりぬき穴の縁に係止される構成としてある。
【００１１】
また、請求項５にかかる発明は、上記請求項２〜請求項４のいずれかに記載のケーブル固定構造において、上記くりぬき穴は、上記ジャンパ線が実装される側の縁部に切り欠きを備え、上記小片は、上記切り欠きと係合する突起を備える構成としてある。
【００１２】
さらに、請求項６にかかる発明は、上記請求項２〜請求項５のいずれかに記載のケーブル固定構造において、上記小片は、上記プリント基板の基材上に基板形成され、実装時に上記ジャンパ線が取り付けられ、実装後に上記プリント基板の本体から切断されることにより同プリント基板本体と分離される構成としてある。
【００１３】
さらに、請求項７にかかる発明は、上記請求項２〜請求項６のいずれかに記載のケーブル固定構造において、映像を画面に表示する液晶パネルと、上記液晶パネルの背面に配置されて、テレビ放送を受信して映像を上記液晶パネルに表示させるメイン基板と、上記メイン基板に実装される発熱部材と、上記メイン基板に実装される一次電源回路と、上記メイン基板の上方に配置されて、上記メイン基板に具現されない処理を担当する第一の補助基板と、上記メイン基板の下方に配置されて、上記メイン基板に具現されない処理を担当する第二の補助基板とを備え、上記ケーブルは、上記ジャンパ線にて上記メイン基板上に固定されることにより、上記一次電源回路と上記発熱部材とに接触せず、上記第一の補助基板と上記第二の補助基板とを接続する構成としてある。
【発明の効果】
【００１４】
以上説明したように本発明によれば、追加の部材を使用せずに、煩雑な手間を必要としない簡易な方法でケーブルを固定することが出来、かつ、作業ミスを減少させることが可能なケーブル固定構造を提供することができる。
【００１５】
また請求項３にかかる発明によれば、２本のジャンパ線でケーブルを固定する構成とした為、ケーブルをより強固に固定することが可能となるとともに、ジャンパ線にねじれが発生しにくく、かつ、ジャンパ線がプリント基板から外れにくいケーブル固定構造を提供することができる。
そして請求項４にかかる発明によれば、小片をくりぬき穴の縁に係止させる構造とした為、ケーブルをより強固に固定できるとともに、ジャンパ線のねじれをより発生しにくくすることが可能なケーブル固定構造を提供することができる。
さらに請求項５にかかる発明によれば、小片に突起を設け、くりぬき穴に切り欠きを備える構造とした為、ケーブルをより強固に固定できるケーブル固定構造を提供することが出来る。
また請求項６にかかる発明によれば、小片をプリント基板と一体形成させ、ジャンパ線を実装時に取り付けるため、低コストかつ簡易にケーブル固定構造を提供することが可能となる。
そして請求項７にかかる発明によれば、液晶パネルに画像を表示可能な機器に使用されるプリント基板において、上述した請求項２〜６の各発明と同様の作用効果を奏するケーブル固定構造を提供することが可能となる。
さらに請求項１にかかる発明によれば、上述した請求項２〜請求項７の各発明と同様の作用効果を奏する２０型の液晶テレビジョンを提供することが出来る。
【発明を実施するための最良の形態】
【００１６】
以下、下記の順序に従って本発明の実施形態を説明する。
（１）本実施例における液晶テレビジョンの概略構成：
（２）ケーブル固定構造：
（３）ケーブル固定構造の第一の変形例：
（４）ケーブル固定構造の第二の変形例：
（５）まとめ：
【００１７】
（１）本実施例における液晶テレビジョンの概略構成：
以下、本発明の一実施形態にかかる液晶テレビジョン１０について説明する。図１は、液晶テレビジョン１０を斜め前方より見た斜視図である。同図において、液晶テレビジョン１０は、概略、樹脂製のフロントキャビネット２０およびバックキャビネット３０と、映像を画面に表示する液晶パネル４０と、脚部５０とから構成されている。
【００１８】
フロントキャビネット２０は、表示面が前面側に露出するように液晶パネル４０を保持している。またフロントキャビネット２０内部には、音声を出力するためのスピーカ（不図示）が取り付けられている。バックキャビネット３０は中央部が背面側に厚く形成されており、厚く形成された部分の内部には各種基板が収納されている。フロントキャビネット２０の前面において、表示面の下側にはユーザからの操作入力を受け付ける操作ボタン２１が備えられている。
【００１９】
液晶テレビジョン１０の内部にはフロントキャビネットに取り付けられる板金が設置されており、その下部に脚部５０が取り付けられ液晶テレビジョン１０を支持している。これにより液晶パネル４０の表示面が略鉛直に配向される。
【００２０】
図２はバックキャビネット３０を取り外した液晶テレビジョン１０を斜め後方より見た斜視図である。同図において、液晶パネル４０は背面から筐体４１にて覆われ、液晶パネル４０と筐体４１との間にバックライトが挟持されて、同バックライトが液晶パネル４０を背面から照射する。
【００２１】
筐体４１の背面には、メイン基板６０とマイコン基板６２とスイッチ基板６４とインバータ基板７０とが配置されている。メイン基板６０は、凹み部分を上方に配向させて液晶パネル４０の筐体４１の背面に配置され、テレビ放送を受信して映像を液晶パネル４０に表示させる処理を担当する。インバータ基板７０は、液晶パネル４０の背面の一方の短辺に沿って上下方向に配向して縦長に配置される。
【００２２】
メイン基板６０には、実装面の左下にシールドされたチューナ６０ｂが実装されるとともに発熱性のオーディオアンプ６０ｃがチューナ６０ｂの下に並べて実装され、実装面の右下にメイン基板６０の下側面に沿って一次電源回路６０ａが形成されている。チューナ６０ｂおよびオーディオアンプ６０ｃと一次電源回路６０ａとは、所定距離の間隔をおいて実装および形成される。
【００２３】
また、メイン基板６０の凹み部分にはマイコン６２ｂが実装されるマイコン基板６２が配置され、メイン基板６０の下方には、操作ボタン２１を介してなされるユーザからの操作入力を受け付けるスイッチ基板６４が配置される。
【００２４】
マイコン基板６２とスイッチ基板６４とには、それぞれコネクタ６２ａ，６４ａが設けられ、両端をコネクタ６２ａ，６４ａに接続されたケーブル６６にてメイン基板６０を跨いで接続される。ケーブル６６はメイン基板６０を跨ぐ際、チューナ６０ｂおよびオーディオアンプ６０ｃと一次電源回路６０ａとの間の所定距離の間隔を通って接続される。
【００２５】
ケーブル６６は、両端をコネクタ６２ａとコネクタ６４ａとに接続された上で、チューナ６０ｂの上方に形設されるケーブル固定構造６８にて中ほどを係止される。したがって、ケーブル６６が自重にて垂れ下がることを防ぎ、一次電源回路６０ａやチューナ６０ｂやオーディオアンプ６０ｃなどに接触せずに、メイン基板６０を跨いでマイコン基板６２とスイッチ基板６４とをケーブル６６にて接続可能となる。
【００２６】
本実施例においては、上記プリント基板を液晶テレビジョン１０の基板としたが、プリント基板上にケーブルを固定する必要のあるプリント基板を使用する機器であればいかなるプリント基板であってもよく、むろんブラウン管を使用するテレビジョンに使用されるものであっても、プラズマテレビジョンに使用されるものであっても、その他の電子機器に用いられるプリント基板であっても構わない。
【００２７】
図３は、本発明の実施形態にかかる液晶テレビジョン１０の概略構成をブロック図により示している。液晶テレビジョン１０は、概略、アンテナの接続されたチューナ６０ｂと、画像データ生成回路７１と、パネル駆動回路７２と、液晶パネル４０と、電源回路７４と、マイコン７３と、インバータ回路７５と、バックライト４２とからなる。
【００２８】
上記構成においてマイコン７３は、液晶テレビジョン１０を構成する各部と電気的に接続しており、マイコン７３内部の構成部品としてのＣＰＵが、同じくマイコン７３内の構成部品であるＲＯＭやＲＡＭなどに書き込まれた各プログラムに従って、液晶テレビジョン１０全体を制御する。なお、ＣＰＵやＲＯＭやＲＡＭについては図示を省略している。
【００２９】
チューナ６０ｂは、マイコン７３の制御によりアンテナよりテレビ放送を受信し、所定の信号増幅処理等を行いつつ、テレビジョン放送信号から中間周波信号としての映像信号を抽出し、画像データ生成回路７１へ出力する。画像データ生成回路７１は、入力した映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００３０】
パネル駆動回路７２では、上記ＲＧＢ信号を入力するとともにＲＧＢ信号に対して液晶パネル４０の画素数（横縦比、ｍ：ｎ）に合わせたスケーリング処理を行い、液晶パネル４０に表示する１画面分の画像データを生成する。そして、このように生成された画像データを液晶パネル４０に出力することにより、液晶パネル４０に画像データに基づく画像表示をさせる。
【００３１】
電源回路７４は、外部の商用電源等から電源電圧（交流）の供給を受けるとともに、同供給された電源電圧を、マイコン７３を始めインバータ回路７５等、各回路へ供給する。電源回路７４は、必要に応じて各回路へ供給する電圧を交流から直流へと変換する。
【００３２】
インバータ回路７５は、電源回路７４から供給された直流電圧を交流電圧に変換し、駆動信号としての当該交流電圧をバックライト４２に供給し、バックライト４２を点灯させる。バックライト４２は、液晶パネル４０を背面から照射する光源の役割を果たす。
スイッチ回路７６は、表示画面下のフロントキャビネット２０に配置された操作ボタン２１からの操作入力が入力されて、同操作入力を所定のフォーマットの電気信号に変換してマイコン７３に出力する。そして、マイコン７３が同電気信号を受信すると、当該電気信号に対応する処理を行う。
【００３３】
メイン基板６０にはこれらの回路のうちチューナ６０ｂと画像データ生成回路７１とパネル駆動回路７２と電源回路７４とオーディオアンプ６０ｃとが搭載され、マイコン基板６２にはマイコンが搭載され、インバータ基板７０にはインバータ回路７５が実装され、スイッチ基板６４にはスイッチ回路７６が実装される。
【００３４】
チューナ６０ｂと画像データ生成回路７１とパネル駆動回路７２と電源回路７４とマイコン７３とインバータ回路７５とオーディオアンプ６０ｃとは、スイッチ回路７６からの操作入力にしたがって、アンテナを通して受信したテレビ放送を信号処理し、映像を液晶パネル４０に表示させるとともに、音声をスピーカに出力する。
【００３５】
（２）ケーブル固定構造：
図４と図５とにケーブル固定構造６８の部分拡大模式図を示した。図４は、ケーブル固定構造６８がプリント基板としてのメイン基板６０に形成・実装された段階での斜視図である。また図５は、ケーブル固定構造６８にてケーブル６６を固定したときの斜視図である。
【００３６】
ケーブル固定構造６８は、メイン基板６０と、くりぬき部６８ａと、２本のジャンパ線６８ｃと、接続部６８ｄにてメイン基板に接続される小片６８ｂと、小片６８ｂに形成される突起６８ｅと、くりぬき部６８ａに形成される切り欠き６８ｆとから構成されている。むろん、ジャンパ線６８ｃは、一本であっても三本以上の複数であっても構わない。
【００３７】
くりぬき部６８ａはメイン基板が形成・実装された時点では、小片６８ｂ及び接続部６８ｄにより、２つの溝状の穴として形成され、接続部６８ｄがニッパなどの工具にて切断されることにより１つの穴として形成される。
【００３８】
ジャンパ線６８ｃは、両端部がそれぞれメイン基板６０と小片６８ｂとに実装されて固定されている。ジャンパ線６８ｃのメイン基板６０に固定される片方の端であるところの基板側固定端は、くりぬき部６８ａの縁から所定距離に実装されるものとされる。当該所定距離としては、ジャンパ線６８ｃにてメイン基板６０との間に挟持されるケーブルの量と、メイン基板６０上にケーブル固定構造６８として確保できるスペースにより決定される。
【００３９】
小片６８ｂは、メイン基板６０と同一基板上に形成され、接続部６８ｄでメイン基板６０と繋がっている。図４では、接続部６８ｄは二箇所としてあるが、一箇所であっても、三箇所であっても構わない。また図４では小片６８ｂは、やや四角い形状としてあるが、丸でも多角形でもよく、特に形状にこだわる必要は無い。
【００４０】
小片６８ｂにはジャンパ線６８ｃの上記基板側固定端に向けて突出した突起６８ｅが形成され、くりぬき部６８ａにはジャンパ線６８ｃの上記基板側固定端に向けて設けられる切り欠き６８ｆが形成される。突起６８ｅと切り欠き６９ｆとは互いに係合する形状となっている。
【００４１】
メイン基板６０は片面基板であり、部品面の反対側の面がパターン面となる。パターン面においては、銅パターンが選択的に形成され、さらにその上には永久レジストが選択的に形成されている。メイン基板６０のパターン面側において、ケーブル固定構造６８の形成される位置にはパターンが形成されず、ジャンパ線６８ｃは電気的な接続は皆無である。
【００４２】
ケーブル６６をメイン基板６０上に固定するには、接続部６８ｄを工具で切断し、小片６８ｂをジャンパ線６８ｃごと実装面側に持ち上げる。そして、ジャンパ線６８ｃとメイン基板６０との間にケーブルを挟みこみ、小片６８ｂをくりぬき部６８ａから非実装面側に押し込み、小片６８ｂがメイン基板６０に対して略垂直となるようジャンパ線をケーブル６６に沿って屈曲させ、突起６８ｅと切り欠き６８ｆとを略垂直に係合させることにより小片６８ｂをくりぬき部６８ａの穴の縁に係止する。
【００４３】
（３）ケーブル固定構造の第一の変形例：
また、ケーブル固定構造６８は、小片６８ｂ無しでも構成可能である。この場合、小片６８ｂおよび接続部６８ｄは形成されず、ケーブル固定構造６８は、メイン基板６０と、くりぬき部６８ａと、２本のジャンパ線６８ｃとから構成される。むろん、ジャンパ線６８ｃは、一本であっても三本以上の複数であっても構わない。
【００４４】
そして、くりぬき部６８ａは基板形成時に穴として形成される。また、突起６８ｅはもちろん、切り欠き６８ｆも形成されなくとも構わない。ジャンパ線６８ｃは、片方の端のみがメイン基板６０に固定されて実装される。
【００４５】
当該第一の変形例において、ケーブル６６をメイン基板６０上に固定するには、ジャンパ線６８ｃとメイン基板６０との間にケーブルを挟みこみ、ジャンパ線６８ｃの固定されていない側をくりぬき部６８ａから非実装面側に押し込み、ジャンパ線をケーブルとメイン基板に沿って屈曲させ、ジャンパ線６８ｃの固定されていない側をメイン基板の縁に引っかかるように折り曲げ、くりぬき部６８ａの穴の縁に係止する。
【００４６】
（４）ケーブル固定構造の第二の変形例：
さらに、ケーブル固定構造６８は、小片に突起を形成せず、くりぬき部に切り欠きを形成せずとも実現できる。この場合、ケーブル固定構造６８は、メイン基板６０と、くりぬき部６８ａと、２本のジャンパ線６８ｃと、接続部６８ｄにてメイン基板に接続される小片６８ｂとから構成される。むろん、ジャンパ線６８ｃは、一本であっても三本以上の複数であっても構わない。
【００４７】
当該第二の変形例において、ケーブル６６をメイン基板６０上に固定するには、接続部６８ｄを工具で切断し、小片６８ｂをジャンパ線６８ｃごと実装面側に持ち上げる。そして、ジャンパ線６８ｃとメイン基板６０との間にケーブルを挟みこみ、小片６８ｂをくりぬき部６８ａから非実装面側に押し込み、小片６８ｂがメイン基板６０に対して略垂直となるようジャンパ線をケーブル６６に沿って屈曲させ、小片６８ｂの縁とくりぬき部６８ａの縁とが引っかかることにより小片６８ｂがくりぬき部６８ａの穴の縁に係止される。
【００４８】
（５）まとめ：
つまり、プリント基板６０上に穴として形成されるくりぬき部６８ａと、くりぬき部６８ａより所定距離に片方の端が実装されるジャンパ線６８ｃとを備えさせ、ジャンパ線６８ｃがくりぬき部６８ａに向かって折り曲げられて穴の縁に係止されることにより、ケーブル６６をプリント基板６０との間に挟持する。
【００４９】
以上説明したように、本実施例に対応する請求項２にかかるケーブル固定構造では、基板面上をケーブルが横切るプリント基板に、同ケーブルを固定するケーブル固定構造において、上記プリント基板上に穴として形成されるくりぬき部と、上記くりぬき部より所定距離に片方の端が実装されるジャンパ線とを備え、上記ジャンパ線は、上記くりぬき部に向かって折り曲げられて上記穴の縁に係止されることにより、上記ケーブルを基板面との間に挟持する構成としてある。
上記のように構成した請求項２に記載の発明によれば、追加の部材を使用せずに、煩雑な手間を必要としない簡易な方法でケーブルを固定することが出来、かつ、作業ミスを減少させることが可能なケーブル固定構造を提供することができる。
【００５０】
そして、本実施例に対応する請求項３にかかる発明では、上記請求項２に記載のケーブル固定構造において、上記ジャンパ線は、二本使用される構成としてある。
上記のように構成した請求項３に記載の発明によれば、２本のジャンパ線でケーブルを固定する構成とした為、ケーブルをより強固に固定することが可能となるとともに、ジャンパ線にねじれが発生しにくく、かつ、ジャンパ線がプリント基板から外れにくいケーブル固定構造を提供することができる。
【００５１】
さらに、本実施例に対応する請求項４にかかる発明では、上記請求項２または請求項３に記載のケーブル固定構造において、上記ジャンパ線は、基板上に実装されない側の端部に上記穴を通過可能な小片が取り付けられ、上記小片は、上記くりぬき穴の縁に係止される構成としてある。
上記のように構成した請求項４に記載の発明によれば、小片をくりぬき穴の縁に係止させる構造とした為、ケーブルをより強固に固定できるとともに、ジャンパ線のねじれをより発生しにくくすることが可能なケーブル固定構造を提供することができる。
【００５２】
また、本実施例に対応する請求項５にかかる発明では、上記請求項２〜請求項４のいずれかに記載のケーブル固定構造において、上記くりぬき穴は、上記ジャンパ線が実装される側の縁部に切り欠きを備え、上記小片は、上記切り欠きと係合する突起を備える構成としてある。
上記のように構成した請求項５に記載の発明によれば、小片に突起を設け、くりぬき穴に切り欠きを備える構造とした為、ケーブルをより強固に固定できるケーブル固定構造を提供することが出来る。
【００５３】
そして、本実施例に対応する請求項６にかかる発明では、上記請求項２〜請求項５のいずれかに記載のケーブル固定構造において、上記小片は、上記プリント基板の基材上に基板形成され、実装時に上記ジャンパ線が取り付けられ、実装後に上記プリント基板の本体から切断されることにより同プリント基板本体と分離される構成としてある。
【００５４】
上記のように構成した請求項６にかかる発明によれば、小片をプリント基板と一体形成させ、ジャンパ線を実装時に取り付けるため、低コストかつ簡易にケーブル固定構造を提供することが可能となる。
【００５５】
さらに、本実施例に対応する請求項７にかかる発明では、上記請求項２〜請求項６のいずれかに記載のケーブル固定構造において、映像を画面に表示する液晶パネルと、上記液晶パネルの背面に配置されて、テレビ放送を受信して映像を上記液晶パネルに表示させるメイン基板と、上記メイン基板に実装される発熱部材と、上記メイン基板に実装される一次電源回路と、上記メイン基板の上方に配置されて、上記メイン基板に具現されない処理を担当する第一の補助基板と、上記メイン基板の下方に配置されて、上記メイン基板に具現されない処理を担当する第二の補助基板とを備え、上記ケーブルは、上記ジャンパ線にて上記メイン基板上に固定されることにより、上記一次電源回路と上記発熱部材とに接触せず、上記第一の補助基板と上記第二の補助基板とを接続する構成としてある。
【００５６】
上記のように構成した請求項７にかかる発明によれば、液晶パネルに画像を表示可能な機器に使用されるプリント基板において、上述した請求項２〜６の各発明と同様の作用効果を奏するケーブル固定構造を提供することが可能となる。
【００５７】
以上の構成を踏まえた上で、本実施例に対応する請求項１の発明は、映像を画面に表示する２０型の液晶パネルと、凹み部分を上方に配向させて上記液晶パネルの背面に配置され、テレビ放送を受信して映像を上記液晶パネルに表示させる凹字型のメイン基板と上記メイン基板の左下に実装されるシールドされたチューナと、上記メイン基板の上記チューナの下に並べて実装される発熱性のオーディオアンプと、上記メイン基板の実装面の右下に同メイン基板の下側面に沿って、上記チューナおよび上記オーディオアンプとの間に所定距離を置いて実装される一次電源回路と、上記メイン基板の凹み部分に配置されて、マイコンが実装されるマイコン基板と、上記メイン基板の下方に配置されて、ユーザからの操作入力を受け付けるスイッチ基板と、上記液晶パネルの背面の一方の短辺に沿って上下方向に配向して配置された縦長のインバータ基板と、上記チューナおよび上記オーディオアンプと上記一次電源回路との間を通り、上記マイコン基板と上記スイッチ基板とを接続するケーブルとを備える液晶テレビジョンにおいて、上記メイン基板上に穴として形成されるくりぬき部と、上記くりぬき部より所定距離に片方の端が実装される二本のジャンパ線と、上記メイン基板の基材上に基板形成され、実装時に上記ジャンパ線が取り付けられ、実装後に上記メイン基板の本体から切断されることにより同メイン基板の本体と分離される小片と、上記ジャンパ線が実装される側の上記くりぬき部の縁に形成される切り欠きと上記ジャンパ線が実装される側の上記小片に形成されて上記切り欠きと係合する突起と、を備え、上記小片を上記ジャンパ線ごと上記メイン基板の実装面側に持ち上げ、上記ジャンパ線と上記メイン基板との間に上記ケーブルを挟みこみ、上記小片を上記くりぬき部から上記メイン基板の非実装面側に押し込み上記小片が上記メイン基板に対して略垂直となるよう上記ジャンパ線を上記ケーブルに沿って屈曲させ、上記突起と上記切り欠きとを略垂直に係合させることにより上記小片をくりぬき部の穴の縁に係止することにより、上記ケーブルが上記チューナと上記オーディオアンプと上記一次電源回路とを避けるように配設される構成としてある。
上記のように構成した請求項１にかかる発明によれば、上述した請求項２〜請求項７の各発明と同様の作用効果を奏する２０型の液晶テレビジョンを提供することが出来る。
【００５８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５９】
【図１】本実施例にかかる液晶テレビジョンの斜視図である。
【図２】本実施例にかかる液晶テレビジョンの斜視図である。
【図３】本実施例にかかる液晶テレビジョンの概略構成ブロック図である。
【図４】本実施例にかかるケーブル固定構造の部分拡大斜視図である。
【図５】本実施例にかかるケーブル固定構造の部分拡大斜視図である。
【符号の説明】
【００６０】
１０…液晶テレビジョン
２０…フロントキャビネット
３０…バックキャビネット
４０…液晶パネル
４１…筐体
４２…バックライト
５０…脚部
６０…メイン基板（プリント基板）
６０ａ…一次電源回路
６０ｂ…チューナ
６０ｃ…オーディオアンプ
６２…マイコン基板
６２ａ…コネクタ
６２ｂ…マイコン
６４…スイッチ基板
６４ａ…コネクタ
６６…ケーブル
６８…ケーブル固定構造
６８ａ…くりぬき部
６８ｂ…小片
６８ｃ…ジャンパ線
６８ｄ…接続部
６８ｅ…突起
６８ｆ…切り欠き
７０…インバータ基板
７１…画像データ生成回路
７２…パネル駆動回路
７３…マイコン
７４…電源回路
７５…インバータ回路
７６…スイッチ回路
【図１】
2007194384.tif 000003
【図２】
2007194384.tif 000004
【図３】
2007194384.tif 000005
【図４】
2007194384.tif 000006
【図５】
2007194384.tif 000007